(57)【要約】      （修正有）【課題】綴じ穴が形成される用紙についても、綴じ穴の部分を用紙が無いと判断してしまうことのない媒体検出方法およびプリンターを提供すること。【解決手段】媒体搬送装置としての搬送機構によって搬送される綴じ穴Ｐ２を有する媒体としての記録用紙Ｐの存在を光センサーとしてのフォトインタラプター１６を用いて検出する記録用紙Ｐの検出方法は、フォトインタラプター１６の記録用紙Ｐにおける検出位置と記録用紙Ｐの綴じ側に在る媒体縁部として用紙縁部Ｐ１の間の距離が、綴じ穴Ｐ２の内周縁部であって用紙縁部Ｐ１から最も離れた位置Ｐ４と用紙縁部Ｐ１との間の距離Ｄ１よりも長いこととする。【選択図】図２
2010241511.tif 000002
【特許請求の範囲】
【請求項１】
媒体搬送装置によって搬送される綴じ穴を有する媒体の存在を光センサーを用いて検出する媒体検出方法において、
上記光センサーの上記媒体における検出位置と上記媒体の綴じ側に在る媒体縁部との間の距離が、上記綴じ穴の内周縁部であって上記媒体縁部から最も離れた位置と上記媒体縁部との間の距離よりも長い、
ことを特徴とする媒体検出方法。
【請求項２】
請求項１に記載の媒体検出方法において、
前記媒体縁部と前記光センサーの検出位置との間の距離が、前記媒体搬送装置により搬送することができるサイズの媒体のうちで、前記媒体の搬送方向と直交する方向の媒体幅が一番狭い媒体の上記媒体幅よりも短い、
ことを特徴とする媒体検出方法。
【請求項３】
請求項１または２に記載の媒体検出方法において、
前記光センサーとして、投光部の保持部と受光部の保持部とが一体に連結されている透過型の光センサーを用いる、
ことを特徴とする媒体検出方法。
【請求項４】
請求項１または２に記載の媒体検出方法において、
前記光センサーとして、投光部の保持部と受光部の保持部とが分離されている透過型の光センサーを用いる、
ことを特徴とする媒体検出方法。
【請求項５】
請求項１または２に記載の媒体検出方法において、
前記光センサーとして、反射型の光センサーを用いる、
ことを特徴とする媒体検出方法。
【請求項６】
請求項１から５のいずれか１項に記載の媒体検出方法を用いて媒体の検出を行うことを特徴とするプリンター。
【発明の詳細な説明】
【技術分野】
【０００１】
本発明は、媒体検出方法およびプリンターに関する。
【背景技術】
【０００２】
従来、複写機、スキャナー、プリンター等には、画像の読み取り、あるいは記録の対象となる用紙を、所定の場所（例えば、給紙トレイ）から他の所定の場所（例えば、記録部）に搬送する媒体搬送装置を備えるものがある。かかる媒体搬送装置においては、用紙が、給紙トレイ等に存在するか否か、あるいは、用紙が搬送経路を正常に搬送されているか否か等を、フォトインタラプターを用いて検出するものがある。
【先行技術文献】
【特許文献】
【０００３】
【特許文献１】特開２００７−３３１１２５号公報
【発明の開示】
【発明が解決しようとする課題】
【０００４】
しかしながら、綴じ穴が形成されている用紙が搬送される場合に、フォトインタラプターが綴じ穴の部分を検出してしまうことにより用紙が無いと判断するような誤検出をしてしまうという問題がある。
【０００５】
そこで、本発明は、綴じ穴が形成される用紙についても、綴じ穴の部分を用紙が無いと判断してしまうことのない媒体検出方法およびプリンターを提供することを目的とする。
【課題を解決するための手段】
【０００６】
上記課題を解決するために、媒体搬送装置によって搬送される綴じ穴を有する媒体の存在を光センサーを用いて検出する媒体検出方法において、光センサーの媒体における検出位置と媒体の綴じ側に在る媒体縁部との間の距離が、綴じ穴の内周縁部であって媒体縁部から最も離れた位置と媒体縁部との間の距離よりも長いこととする。
【０００７】
上記発明に加えて、媒体縁部と光センサーの検出位置との間の距離が、媒体搬送装置により搬送することができるサイズの媒体のうちで、媒体の搬送方向と直交する方向の媒体幅が一番狭い媒体の上記媒体幅よりも短いこととする。
【０００８】
上記発明に加えて、光センサーとして、投光部の保持部と受光部の保持部とが一体に連結されている透過型の光センサーを用いることとする。
【０００９】
上記発明に加えて、光センサーとして、投光部の保持部と受光部の保持部とが分離されている透過型の光センサーを用いることとする。
【００１０】
上記発明に加えて、光センサーとして、反射型の光センサーを用いることとする。
【００１１】
プリンターを上述の媒体検出方法を用いる構成とする。
【図面の簡単な説明】
【００１２】
【図１】本発明の実施の形態に係るプリンターの全体的な概略構成を示す斜視図である。
【図２】図１に示す搬送機構の右側の部分を前方上方から見た斜視図である。
【図３】図２に示すフォトインタラプターを前方上方から見た斜視図である。
【図４】図２に示す搬送機構のフォトインタラプターが配置されている部分を前方から見たときの概略の構成を示す図である。
【図５】本発明の第２の実施の形態に係る搬送機構の右側の部分を前方上方から見た斜視図である。
【図６】図６に示す搬送機構のフォトインタラプターが配置されている部分を前方から見たときの概略の構成を示す図である。
【図７】本発明の第３の実施の形態に係る搬送機構の右側の部分を前方上方から見た斜視図である。
【図８】図７に示す搬送機構のフォトインタラプターが配置されている部分を前方から見たときの概略の構成を示す図である。
【発明を実施するための形態】
【００１３】
（第１の実施の形態）
以下、本発明の第１の実施の形態について、図面を参照しながら説明をする。本実施の形態では、本発明に係る媒体検出方法を液体吐出装置としてのインクジェットプリンター１に適用した場合を例としている。
【００１４】
（インクジェットプリンター１の全体構成）
図１は、本発明の実施の形態に係るインクジェットプリンター（以下、単にプリンターと言う。）１の全体的な概略構成を示す斜視図である。なお、以下の説明において、図１中矢印Ｘ１で示す向きを前方（前側）、その反対方向Ｘ２を後方（後側）とし、前方から後方を見て、左手側（Ｙ１方向）を左方（左側）、右手側（Ｙ２方向）を右方（右側）として説明を行う。また、図中矢印Ｚ１に示す方向を上方（上側）、その反対方向Ｚ２を下方（下側）として説明を行う。
【００１５】
図１において、プリンター１は、媒体としての記録用紙Ｐがセット（載置）される給紙トレイ２と、この給紙トレイ２にセットされている記録用紙Ｐを前方（副走査方向：矢印Ｘ１の方向）に搬送する搬送機構３と、この搬送機構３により搬送される記録用紙Ｐに対し記録を行なう記録機構４と、この記録機構４を左右方向（主走査方向：矢印Ｙ１，Ｙ２の方向）に移動する主走査機構５と、記録機構４により記録が行われ排出された記録用紙Ｐを受ける排紙トレイ６等とを有する。なお、本実施の形態で搬送される記録用紙Ｐの綴じ側となる縁部（図２参照。以下、用紙縁部と記載する）Ｐ１の内側には、綴じ穴Ｐ２が形成されている。
【００１６】
給紙トレイ２は、支持ガイド板７と、支持ガイド板７の左右に備えられる側部ガイド８，９とを有する。支持ガイド板７は、記録用紙Ｐがセットされる面となる表面７Ａを前方に向けて、下方から上方に向かってやや後方に傾斜するように配置されている。側部ガイド８は、支持ガイド板７に対して左右方向にスライド（移動）可能に構成されている。側部ガイド９は、支持ガイド板７の右縁部に支持ガイド板７に対して固定されている。側部ガイド８を記録用紙Ｐの左右方向の幅に合わせてスライドさせることで、記録用紙Ｐの左右の両側を側部ガイド８と側部ガイド９とにより、ガイドすることができる。給紙トレイ２にセットされた記録用紙Ｐは、その後側の面を支持ガイド板７の表面７Ａにより支持およびガイドされると共に、側部ガイド８と側部ガイド９により左右の縁部をガイドされる状態で、給紙トレイ２の前方に配置される搬送機構３に供給される。
【００１７】
搬送機構３は、給紙モーター１０と、この給紙モーター１０の回転力を受けて回転する給紙ローラー１１と、給紙ローラー１１の回転に従動して回転する従動ローラー１２（図２参照）とを有する。また、搬送機構３は、搬送モーター１３と、この搬送モーター１３の回転力を受けて回転する搬送ローラー１４と、搬送ローラー１４の回転に従動して回転する従動ローラー１５（図２参照）とを有する。さらに、搬送機構３は、透過型の光センサーとしてのフォトインタラプター１６（図２参照）等を有している。また、搬送機構３には、カバー板１７が備えられている。このカバー板１７は、搬送ローラー１４に平行な状態で左右方向に亘って配置される。
【００１８】
記録機構４は、キャリッジ１８と、複数のインクカートリッジ１９と、各インクカートリッジ１９毎に対応して備えられる図示を省略する記録ヘッド等を有している。該記録ヘッドは、インク噴射部を記録用紙Ｐに対向することができるようにキャリッジ１８の下側に取り付けられている。
【００１９】
主走査機構５は、ガイド軸２０と、このガイド軸２０に対して平行に配設され、キャリッジモーター２１により駆動させられるタイミングベルト２２等を有している。記録機構４のキャリッジ１８は、ガイド軸２０に対して左右方向に摺動自在に支持されると共に、タイミングベルト２２に対して固定状態で取り付けられている。したがって、タイミングベルト２２が左右方向に駆動されることで、記録機構４は、ガイド軸２０に沿って、左右方向（主走査方向）に移動させられる。
【００２０】
搬送機構３と主走査機構５とは、互いに交互に駆動させられるように構成されている。すなわち、主走査機構５により記録機構４が移動させられている間は、搬送機構３は記録用紙Ｐの搬送を停止し、記録機構４が移動方向を折り返すタイミングで記録用紙Ｐの搬送を行なうように構成されている。つまり、搬送機構３は、記録用紙Ｐを移動と停止を繰り返しながら間欠的に搬送し、主走査機構５は、記録用紙Ｐの移動が停止している間に、記録機構４を左側から右側に、あるいは右側から左側に移動する。そして、記録機構４は、左右方向に移動する際に、図示外のパソコン等により構成されるホストコンピューターから送られる画像形成データに基づいて記録ヘッド（図示省略）から記録用紙Ｐに対してインクを吐出し、記録用紙Ｐに対して印字や画像等の記録を行う。そうして、記録機構４で画像形成データに基づく所定の記録が行われた記録済みの記録用紙Ｐは、排紙トレイ６上に排出される。
【００２１】
（搬送機構３の構成と動作等）
次に、図２を参照しながら、上述の搬送機構３についてのさらに詳しい構成と動作、および記録用紙Ｐの存在（有無）についての検出方法について説明する。なお、図２は、搬送機構３の右側の部分を前方上方から見た斜視図である。
【００２２】
給紙ローラー１１は、Ｄ型の断面を有するいわゆるＤカットローラーである。従動ローラー１２は、給紙ローラー１１の円弧状部１１Ａと接触することにより、給紙ローラー１１の回転を受けて回転する。給紙ローラー１１および従動ローラー１２は、給紙トレイ２にセットされた記録用紙Ｐの先端部Ｐ３が、給紙ローラー１１と従動ローラー１２の接触部に位置することができるように配置されている。したがって、給紙モーター１０により給紙ローラー１１が回転させられると、給紙トレイ２にセットされている記録用紙Ｐは、給紙ローラー１１の回転により搬送ローラー１４の側に送り出される。給紙ローラー１１の円弧状部１１Ａの円周方向の長さは、給紙トレイ２にセットされている記録用紙Ｐの先端部から搬送ローラー１４までの距離よりも長く設定されている。そのため、給紙ローラー１１により給紙トレイ２から搬送ローラー１４の側に送り出された記録用紙Ｐは、給紙ローラー１１と従動ローラー１２とに挟み込まれた状態で、搬送ローラー１４まで搬送される。そして、給紙ローラー１１により搬送ローラー１４まで搬送された記録用紙Ｐは、搬送ローラー１４と従動ローラー１５とに挟み込まれた状態で、搬送ローラー１４の回転により記録機構４に向けて搬送される。
【００２３】
搬送機構３の右端部には、側部ガイド２３が設けられている。この側部ガイド２３は、給紙ローラー１１から搬送ローラー１４に搬送される記録用紙Ｐの右側に位置する用紙縁部Ｐ１をガイドすることができるように設けられている。したがって、記録用紙Ｐは、用紙縁部Ｐ１を給紙トレイ２の側部ガイド９および側部ガイド２３によりガイドされながら、給紙トレイ２から記録機構４に搬送される。記録用紙Ｐは、側部ガイド８，９と側部ガイド２３とにより、主走査方向について位置決めがされている。
【００２４】
また、給紙ローラー１１から搬送ローラー１４にかけて、搬送ガイド２４が備えられている。搬送ガイド２４は、給紙ローラー１１から搬送ローラー１４に向けて搬送される記録用紙Ｐを下方から支持することができる。したがって、記録用紙Ｐは、搬送ガイド２４によって下側をガイドされて、給紙ローラー１１から搬送ローラー１４に向けて搬送される。
【００２５】
フォトインタラプター１６は、図３に示すように、投光部２５と、受光部２６と、投光部２５および受光部２６を搬送機構３に対して支持する支持腕２７とを有する。投光部２５は、例えば、発光ダイオードが用いられる。受光部２６は、受光した光を電気信号に変換する、いわゆる光電素子が用いられ、受光した光量に応じた電圧の電気信号が出力される。受光部２６から出力される電気信号は、プリンター１に備えられる図示を省略する制御部に送られる。
【００２６】
支持腕２７は、投光部２５を保持している保持部２８と、受光部２６を保持している保持部２９と、保持部２８と保持部２９を連結する連結部３０とを有し、全体として略コ字状を呈している。すなわち、保持部２８と保持部２９は、間隔Ｓ１を有して互いに平行に配置されるように連結部３０の両端に設けられている。投光部２５は、保持部２９の側に光を投光するように保持部２８に設けられ、また、受光部２６は、保持部２８の側からの光を受光するように保持部２９に設けられている。つまり、投光部２５と受光部２６は、投光部２５から投光された光が受光部２６に入射することができるように互いに配置されている。
【００２７】
保持部２８、保持部２９および連結部３０は、それぞれ角柱状を呈している。支持腕２７は、例えば、連結部３０と保持部２８と保持部２９とを樹脂モールド成型することにより、一体物として形成されている。なお、支持腕２７は、連結部３０の両端に、保持部２８と保持部２９を接着等により固定することで、連結部３０、保持部２８および保持部２９を一体物として形成するようにしてもよい。
【００２８】
フォトインタラプター１６は、連結部３０の投光部２５（受光部２６）の側に位置する面である内側面３０Ａが、側部ガイド２３の記録用紙Ｐをガイドするガイド面２３Ａの外側、すなわち、ガイド面２３Ａを挟んで、記録用紙Ｐが搬送される側と反対側となる位置に配置されている。側部ガイド２３には、切欠穴２３Ｂが形成されている。この切欠穴２３Ｂは、連結部３０を内側に配置することができる大きさと形状に形成されている。そして、連結部３０は、内側面３０Ａがガイド面２３Ａの外側に位置するように切欠穴２３Ｂの内側に配置されている。また、フォトインタラプター１６は、保持部２８が搬送ガイド２４の記録用紙Ｐをガイドするガイド面２４Ａよりも上方に位置するように、かつ、保持部２９が搬送ガイド２４のガイド面２４Ａよりも下方に位置するように配置されている。搬送ガイド２４には、凹部２４Ｂが形成されている。凹部２４Ｂは、保持部２９を凹部２４Ｂの内側に配置することができる大きさと形状に形成されている。そして、保持部２９は、搬送ガイド２４のガイド面２４Ａよりも下方に位置するように凹部２４Ｂの内側に配置されている。上述のようにフォトインタラプター１６を搬送機構３に配置することで、給紙トレイ２から記録機構４に搬送される記録用紙Ｐが、フォトインタラプター１６の連結部３０、保持部２８および保持部２９に当たらない（衝突しない）ように、フォトインタラプター１６を搬送機構３に対して配置することができる。
【００２９】
フォトインタラプター１６は、例えば、側部ガイド２３または搬送ガイド２４等に取り付けられている。なお、搬送ガイド２４の上方には、カバー板１７が配置され、フォトインタラプター１６は、このカバー板１７の下側に配置されている。そのため、フォトインタラプター１６の受光部２６への外乱光の入射を防ぐことができる。つまり、外乱光によるフォトインタラプター１６の誤動作を防止することができる。
【００３０】
上述のように搬送機構３が構成されることで、給紙トレイ２にセットされた記録用紙Ｐは、搬送機構３により記録機構４に搬送され、記録機構４において、印字や画像等の記録が行われる。また、プリンター１に備えられる図示を省略する制御部において、フォトインタラプター１６（受光部２６）から出力される電気信号に基づいて、搬送ガイド２４上を記録用紙Ｐが搬送されているか否かが判断される。つまり、投光部２５と受光部２６の間に記録用紙Ｐが存在しない場合には、投光部２５から投光された光は受光部２６に受光される。これに対し、投光部２５と受光部２６の間に記録用紙Ｐが存在する場合は、投光部２５から投光された光は、記録用紙Ｐにより遮光される。
【００３１】
したがって、制御部（図示省略）において、受光部２６における投光部２５からの光の入射の有無に基づいて、投光部２５と受光部２６の間に記録用紙Ｐが存在するか否かを検出することができる。そして、制御部（図示省略）は、投光部２５と受光部２６の間に記録用紙Ｐが存在する場合には、搬送ガイド２４上を記録用紙Ｐが搬送されていると判断し、投光部２５と受光部２６の間に記録用紙Ｐが存在しない場合には、記録用紙Ｐは、搬送ガイド２４上を搬送されていないと判断する。この判断に基づいて、例えば、給紙ローラー１１の回転を制御する。つまり、搬送ガイド２４上を記録用紙Ｐが搬送されていないと判断される場合に、給紙ローラー１１の回転を行い、給紙トレイ２にセットされている記録用紙Ｐを搬送ローラー１４に向けて送り出す。搬送ガイド２４上を記録用紙Ｐが搬送されていると判断される場合に、給紙ローラー１１は、記録用紙Ｐと非接触の状態で回転を停止させる。これにより、給紙トレイ２から１枚ずつ、記録用紙Ｐが重なることなく、記録機構４に搬送することができる。
【００３２】
ところで、記録用紙Ｐには、上述したように、用紙縁部Ｐ１の内側には綴じ穴Ｐ２が形成されている。そのため、投光部２５と受光部２６が綴じ穴Ｐ２を上下に挟んだ位置に配置されている場合には、投光部２５から投光された光が綴じ穴Ｐ２を通過し受光部２６に受光されることで、制御部（図示省略）において、投光部２５と受光部２６の間に記録用紙Ｐが存在しないと誤検出されてしまう虞がある。つまり、記録用紙Ｐが搬送ガイド２４上を搬送途中であるにも関わらず、搬送されていないと誤検出されてしまう虞がある。
【００３３】
そこで、本実施の形態にかかる搬送機構３は、図２および図４に示すように、フォトインタラプター１６の検出位置１６Ａを、用紙縁部Ｐ１から距離Ｄ１よりも離れた（よりも遠い）位置となるようにしている。検出位置１６Ａは、投光部２５から投光された光が記録用紙Ｐを照明する範囲である。すなわち、検出位置１６Ａは、投光部２５から投光された光の記録用紙Ｐ上の光スポットである。なお、図４は、フォトインタラプター１６と記録用紙Ｐとの関係を説明するための図であり、搬送機構３のフォトインタラプター１６が配置されている部分を前方から見たときの概略の構成を示す。
【００３４】
距離Ｄ１は、記録用紙Ｐの綴じ側となる用紙縁部Ｐ１と、綴じ穴Ｐ２の内周縁部であって用紙縁部Ｐ１から最も離れている位置Ｐ４との間の距離である。また、距離Ｄ２は、フォトインタラプター１６の検出位置１６Ａと用紙縁部Ｐ１との間の距離（間隔）である。本実施の形態では、フォトインタラプター１６の検出位置１６Ａは、投光部２５によって記録用紙Ｐが照明される範囲であり、距離Ｄ２は、用紙縁部Ｐ１と、検出位置１６Ａである投光部２５の照明範囲（光スポット）の縁部との間の距離（用紙縁部Ｐ１と検出位置１６Ａとの間の間隔）である。そして、フォトインタラプター１６は、距離Ｄ２が距離Ｄ１よりも長くなるように構成されている。つまり、フォトインタラプター１６は、搬送機構３に取り付けられた状態で、距離Ｄ２が、距離Ｄ１より長くなるように、保持部２８および保持部２９の長さや、投光部２５の保持部２８への取り付け位置や受光部２６の保持部２９への取り付け位置等が設定されている。
【００３５】
フォトインタラプター１６を上述のように構成することで、フォトインタラプター１６の検出位置１６Ａを、記録用紙Ｐの綴じ穴Ｐ２を避けた部分とすることができる。つまり、フォトインタラプター１６の検出位置１６Ａを、記録用紙Ｐの綴じ穴Ｐ２を避けた部分とすることで、記録用紙Ｐが搬送ガイド２４上を搬送途中であるにも関わらず、搬送されていないと誤判断されてしまうことを防止することができる。
【００３６】
なお、本実施の形態では、支持腕２７が一体的に構成されている。そのためフォトインタラプター１６をプリンター１に取り付ける際の投光部２５と受光部２６の位置合わせが不要であり、また、プリンター１の振動により投光部２５と受光部２６の光軸がずれてしまうことを防ぐことができる。
【００３７】
（第２の実施の形態）
次に、本発明の第２の実施の形態について、図５および図６を参照しながら説明をする。なお、図１から図４を参照して説明した上述の実施の形態と同様の部材については同一の符号を付し、その説明を省略する。図５は、フォトインタラプター４０が取り付けられる搬送機構３の右側の部分を前方上方から見た斜視図である。図６は、フォトインタラプター４０と記録用紙Ｐとの関係を説明するための図であり、搬送機構３のフォトインタラプター４０が配置されている部分を前方から見たときの概略の構成を示す。
【００３８】
フォトインタラプター４０は、フォトインタラプター１６のように投光部２５と受光部２６とを支持腕２７により一体的に保持することなく、投光部２５を保持する保持部４１と受光部２６を保持する保持部４２が、互いに分離されて（別体として）構成されている。そして、投光部２５と受光部２６は、投光部２５から投光された光が受光部２６に入射することができるように互いに配置され、それぞれ別々に搬送機構３に取り付けられている。
【００３９】
保持部４１は、カバー板１７の下側（搬送ガイド２４側）に、下方に投光方向を向けて取り付けられている。また、保持部４１と搬送ガイド２４のガイド面２４Ａとの間には、記録用紙Ｐが通過することができる間隔が設けられている。保持部４２は搬送ガイド２４のガイド面２４Ａよりも下方に位置するように配置されている。搬送ガイド２４には、凹部２４Ｃが形成されている。凹部２４Ｃは、保持部４２を内側に配置することができる大きさと形状に形成されている。そして、保持部４２は、保持部４２の上面が搬送ガイド２４のガイド面２４Ａよりも下方に位置するように凹部２４Ｃの内側に配置されている。上述のようにフォトインタラプター４０を搬送機構３に配置することで、給紙トレイ２から記録機構４に搬送される記録用紙Ｐが、フォトインタラプター４０の保持部４１および保持部４２に当たらない（衝突しない）ように、フォトインタラプター４０を、搬送機構３に対して配置することができる。
【００４０】
そして、本実施の形態にかかる搬送機構３においても、上述の第１の実施の形態と同様に、フォトインタラプター４０の検出位置１６Ａを、用紙縁部Ｐ１から距離Ｄ１より離れた（遠い）位置となるようにしている。つまり、フォトインタラプター４０は、搬送機構３に取り付けられた状態で、距離Ｄ２が距離Ｄ１より長くなるように、保持部４１および保持部４２の配置や、保持部４１と保持部４２への投光部２５と受光部２６の配置等が設定されている。
【００４１】
フォトインタラプター４０を上述のように構成することで、フォトインタラプター４０の検出位置１６Ａを、記録用紙Ｐの綴じ穴Ｐ２を避けた部分とすることができる。つまり、フォトインタラプター４０の検出位置１６Ａを、記録用紙Ｐの綴じ穴Ｐ２を避けた部分とすることで、記録用紙Ｐが搬送ガイド２４上を搬送途中であるにも関わらず、搬送されていないと誤判断されてしまうことを防止することができる。
【００４２】
なお、本実施の形態では、投光部２５と受光部２６が、互いに別体として構成されている。そのため、投光部２５と受光部２６をそれぞれ独立に配置することができるので、フォトインタラプター４０の配置の自由度を高いものとすることができる。
【００４３】
（第３の実施の形態）
次に、本発明の第３の実施の形態について、図７および図８を参照しながら説明をする。なお、図１から図４を参照しながら説明した上述の第１の実施の形態と同様の部材については同一の符号を付し、その説明を省略する。図７は、反射型の光センサーとしての、反射型のフォトインタラプター５０が取り付けられる搬送機構３の右側の部分を前方上方から見た斜視図である。図８は、フォトインタラプター５０と記録用紙Ｐとの関係を説明するための図であり、搬送機構３のフォトインタラプター５０が配置されている部分を前方から見たときの概略の構成を示す。
【００４４】
フォトインタラプター５０は、投光部２５と受光部２６が同一の保持部５１に保持されている。フォトインタラプター５０は、カバー板１７の下側（搬送ガイド２４側）に、下方に投光方向と受光方向を向けて取り付けられている。また、フォトインタラプター５０と搬送ガイド２４のガイド面２４Ａとの間には、記録用紙Ｐが通過することができる間隔が設けられている。このようにフォトインタラプター５０を搬送機構３に配置することで、給紙トレイ２から記録機構４に搬送される記録用紙Ｐが、フォトインタラプター５０に当たらない（衝突しない）ようにすることができる。
【００４５】
そして、本実施の形態にかかる搬送機構３においても、上述の第１の実施の形態と同様に、フォトインタラプター５０の検出位置１６Ａを、用紙縁部Ｐ１から距離Ｄ１より離れた（遠い）位置となるようにしている。フォトインタラプター５０を上述のように構成することで、記録用紙Ｐの綴じ穴Ｐ２を避けた部分とすることができる。つまり、フォトインタラプター５０の検出位置１６Ａを、記録用紙Ｐの綴じ穴Ｐ２を避けた部分とすることで、記録用紙Ｐが搬送ガイド２４上を搬送途中であるにも関わらず、搬送されていないと誤判断されてしまうことを防止することができる。すなわち、フォトインタラプター５０の検出位置１６Ａと用紙縁部Ｐ１との間の距離である距離Ｄ２が、距離Ｄ１よりも長くなるように、フォトインタラプター５０が配置されている。フォトインタラプター５０を上述のように構成することで、フォトインタラプター５０の検出位置を、記録用紙Ｐの綴じ穴Ｐ２を避けた部分とすることができる。したがって、記録用紙Ｐが搬送ガイド２４上を搬送途中であるにも関わらず、搬送されていないと誤判断されてしまうことを防止することができる。
【００４６】
なお、本実施の形態では、光センサーとして反射型の光センサーであるフォトインタラプター５０を用いている。つまり、上述の各実施の形態において用いたフォトインタラプター１６，４０のように、記録用紙Ｐの両面に投光部と受光部をそれぞれ配置する場合に比べて、フォトインタラプター５０は、記録用紙Ｐのいずれか一方の面に配置すればよいため、配置の自由度を高いものとすることができる。
【００４７】
ところで、上述の各実施の形態において、距離Ｄ２については、距離Ｄ１よりも長く設定するという条件に加えて、用紙縁部Ｐ１から下記の所定距離の範囲内に検出位置１６Ａが位置するという条件を加えてもよい。該所定距離とは、プリンター１で搬送することができるサイズの記録用紙Ｐのうちで、搬送時の主走査方向の幅が一番狭いサイズの記録用紙Ｐの該幅である。距離Ｄ２をこのように設定することにより、主走査搬送方向について、記録用紙Ｐのサイズに拘わらず記録用紙Ｐの存在の有無を検出することができる。
【００４８】
距離Ｄ１，Ｄ２は、具体的には、例えば、次のように設定する。ＪＩＳ規格のＺ８３０３（帳票設計基準）において、綴じ穴Ｐ２の直径は、６±０．５ｍｍと規定され、また、記録用紙Ｐの綴じ側となる用紙縁部Ｐ１から綴じ穴Ｐ２の中心までの距離は、６．５±０．５ｍｍと規定されている。したがって、ＪＩＳ規格のＺ８３０３の綴じ穴Ｐ２を有する記録用紙Ｐにおいて、距離Ｄ１が最も長くなる場合は、１０．２５ｍｍ（３．２５ｍｍ＋７．０ｍｍ＝綴じ穴Ｐ２の最大直径の２分の１＋用紙縁部Ｐ１から綴じ穴Ｐ２の中心までの最長距離）である。つまり、距離Ｄ２を１０．２５ｍｍよりも長く設定することで、ＪＩＳ規格のＺ８３０３の綴じ穴Ｐ２が形成されている全ての記録用紙Ｐに対応することができる。
【００４９】
また、ＪＩＳ規格のＳ６０４１（事務用穴あけ器）においては、綴じ穴Ｐ２の直径が、６±０．５ｍｍとなるように規定され、また、記録用紙Ｐの綴じ側となる用紙縁部Ｐ１から綴じ穴Ｐ２の中心までの距離が、１２±１．０ｍｍとなるように規定されている。したがって、ＪＩＳ規格のＳ６０４１（事務用穴あけ器）による綴じ穴Ｐ２を有する記録用紙Ｐにおいて、距離Ｄ１が最も長くなる場合は、１６．２５ｍｍ（３．２５ｍｍ＋１３．０ｍｍ＝綴じ穴Ｐ２の最大直径の２分の１＋用紙縁部Ｐ１から綴じ穴Ｐ２の中心までの最長距離）である。つまり、距離Ｄ２を１６．２５ｍｍよりも長く設定することで、ＪＩＳ規格のＳ６０４１による綴じ穴Ｐ２が形成されている全ての記録用紙Ｐに対応することができる。
【００５０】
したがって、距離Ｄ２については、１６．２５ｍｍよりも長く設定することで、記録用紙ＰがＪＩＳ規格のＺ８３０３に基づくものであっても、ＪＩＳ規格のＳ６０４１に基づくものであっても対応することができる。すなわち、記録用紙ＰがいずれのＪＩＳ規格に基づくものであっても、搬送ガイド２４上を搬送途中であるにも関わらず、搬送されていないと誤判断されてしまうことを防止することができる。
【００５１】
また、搬送時の主走査方向の幅が一番狭いサイズの記録用紙Ｐを名刺サイズ（９１ｍｍ×５５ｍｍ）とする場合には、検出位置１６Ａが、用紙縁部Ｐ１から名刺サイズの短辺の長さ（５５ｍｍ）より用紙縁部Ｐ１側となるように距離Ｄ２を設定する。このように距離Ｄ１と距離Ｄ２を設定することで、ＪＩＳ規格の綴じ穴Ｐ２が形成されている記録用紙Ｐの存在の有無を誤検出なく検出することができ、加えて、名刺サイズの小さな記録用紙Ｐについても記録用紙Ｐの存在の有無を検出することができる。
【００５２】
上述の各実施の形態において、媒体搬送装置としての搬送機構３によって搬送される綴じ穴Ｐ２を有する媒体としての記録用紙Ｐの存在を光センサーとしてのフォトインタラプター１６を用いて検出する記録用紙Ｐの検出方法は、フォトインタラプター１６の記録用紙Ｐにおける検出位置１６Ａと記録用紙Ｐの綴じ側に在る媒体縁部として用紙縁部Ｐ１の間の距離Ｄ２が、綴じ穴Ｐ２の内周縁部であって用紙縁部Ｐ１から最も離れた位置Ｐ４と用紙縁部Ｐ１との間の距離Ｄ１よりも長いこととする。
【００５３】
記録用紙Ｐの検出方法をこのように行うことで、綴じ穴Ｐ２を有する記録用紙Ｐについて、綴じ穴Ｐ２の部分を記録用紙Ｐが無いと判断してしまうことのないようにすることができる。
【００５４】
上述の用紙縁部Ｐ１とフォトインタラプター１６の検出位置１６Ａとの間の距離Ｄ２を、搬送機構３により搬送することができるサイズの記録用紙Ｐのうちで、記録用紙Ｐの搬送方向と直交する方向の記録用紙の幅が一番狭い記録用紙Ｐの幅よりも短いこととしてもよい。
【００５５】
記録用紙Ｐの検出方法をこのように行うことで、綴じ穴Ｐ２が形成されている記録用紙Ｐについて綴じ穴Ｐ２の部分を記録用紙Ｐが無いと判断してしまうことなく、かつ、小さなサイズの記録用紙Ｐについても記録用紙Ｐの存在の有無を検出することができる。
【００５６】
上述のフォトインタラプター１６は、投光部２５の保持部２８と受光部２６の保持部２９とが一体に連結されている透過型のフォトインタラプター１６とすることが好ましい。
【００５７】
記録用紙Ｐの検出方法をこのように行うことで、投光部２５と受光部２６の位置合わせが不要となり、また、搬送機構３の振動により投光部２５と受光部２６の光軸がずれてしまうことを防ぐことができる。
【００５８】
上述のフォトインタラプター１６に換えて、投光部２５の保持部４１と受光部２６の保持部４２とが分離されている透過型のフォトインタラプター４０を用いてもよい。
【００５９】
記録用紙Ｐの検出方法をこのように行うことで、投光部２５と受光部２６をそれぞれ独立に配置することができ、投光部２５と受光部２６の配置の自由度を高いものとすることができる。
【００６０】
上述のフォトインタラプター１６に換えて、反射型のフォトインタラプター５０を用いてもよい。
【００６１】
記録用紙Ｐの検出方法をこのように行うことで、フォトインタラプター５０を記録用紙Ｐのいずれか一方の面の側に配置すればよいため、配置の自由度を高いものとすることができる。
【００６２】
プリンター１を上述の記録用紙の検出方法を用いる構成としてもよい。
【００６３】
プリンター１をこのように構成することで、綴じ穴Ｐ２を有する記録用紙Ｐについて、綴じ穴Ｐ２の部分を記録用紙Ｐが無いと判断してしまうことのないようにすることができる。
【００６４】
上述の各実施の形態では、検出位置１６Ａは、投光部２５によって記録用紙Ｐが照明される範囲（光スポット）としたが、記録用紙Ｐの存在の有無を検出できるだけの光量を受光部２６に入射させることができれば、該範囲の内側の狭い範囲であってもよい。
【００６５】
上述の各実施の形態では、フォトインタラプター１６，４０，５０を搬送機構３に配置する例を示したが、搬送機構３の外にも、給紙トレイ２や記録機構４に備えるようにしてもよい。また、本発明に係る媒体の検出方法は、プリンター１の他、レーザープリンター等の他の種類のプリンターにも使用できる。また、複写機、ＦＡＸ等の原稿および記録用紙の搬送機構、さらには、スキャナー等の原稿の搬送機構にも使用することができる。
【符号の説明】
【００６６】
１  …  プリンター    ３  …  搬送機構（媒体搬送装置）    １６，４０，５０  …  フォトインタラプター（光センサー）    １６Ａ  …  検出位置    ２５  …  投光部
２６  …  受光部    ２８  …  保持部    ２９  …  保持部    Ｐ  …  記録用紙（媒体）    Ｐ１  …  用紙縁部（媒体縁部）    Ｐ２  …  綴じ穴    Ｐ４  …  位置    Ｄ１  …  距離    Ｄ２  …  距離
【図１】
2010241511.tif 000003
【図２】
2010241511.tif 000004
【図３】
2010241511.tif 000005
【図４】
2010241511.tif 000006
【図５】
2010241511.tif 000007
【図６】
2010241511.tif 000008
【図７】
2010241511.tif 000009
【図８】
2010241511.tif 000010